(57)【要約】【課題】主光源ユニットおよび補助光源ユニットを備えた照明器具において、明るさ感の低下を抑制する。【解決手段】照明器具１は、非透光性材料からなる板状部５を有する器具本体３と、板状部５の表側に設けられた主光源ユニット１０と、板状部５の裏側に設けられ、線状光源３２ａ１、３２ｂ１を備えた補助光源ユニット３０と、を備える。線状光源３２ａ１、３２ｂ１は、板状部５の裏面からのオフセット量ｈ１、ｈ２が互いに異なる位置に配置される。板状部５の裏面からのオフセット量ｈ１が大きい方の線状光源３２ａ１が、小さい方の線状光源３２ｂ１よりも発光効率が最も高い発光素子を多く含む。【選択図】図４
2014110082.tif 000002
【特許請求の範囲】
【請求項１】
非透光性材料からなる板状部を有する器具本体と、
前記板状部の表側に設けられた主光源ユニットと、
前記板状部の裏側に設けられ、複数の線状光源を備えた補助光源ユニットと、
を備え、
前記複数の線状光源は、それぞれの長手方向を前記板状部の裏面に対し平行にして、それぞれの当該板状部の裏面からのオフセット量が互いに異なる位置に配置され、
前記複数の線状光源には、発光効率の異なる複数種類の発光素子が含まれ、
前記複数の線状光源のうち少なくとも２つの線状光源において、前記板状部の裏面からのオフセット量が大きい線状光源ほど、発光効率が最も高い種類の発光素子が多く含まれる、
ことを特徴とする照明器具。
【請求項２】
前記複数の線状光源のうち、前記板状部の裏面からのオフセット量が最も大きい線状光源には、前記発光効率が最も高い種類の発光素子が最も多く含まれる、
ことを特徴とする請求項１に記載の照明器具。
【請求項３】
前記複数の線状光源の全てには、前記板状部の裏面からのオフセット量が大きい線状光源ほど、前記発光効率が最も高い種類の発光素子を多く含まれる、
ことを特徴とする請求項１に記載の照明器具。
【請求項４】
前記各線状光源に含まれる隣り合う発光素子の発光色が異なる、
ことを特徴とする請求項１に記載の照明器具。
【請求項５】
前記各線状光源に含まれる複数の発光素子は、それぞれ電気的に直列に接続され、
前記各線状光源は、互いに電気的に並列に接続される、
ことを特徴とする請求項１に記載の照明器具。
【請求項６】
前記発光効率が最も高い種類の発光素子の発光色は、白色である、
ことを特徴とする請求項１に記載の照明器具。
【請求項７】
前記補助光源ユニットは、前記複数の線状光源を覆うように設けられ、且つ光拡散性を有するカバーを含む、
ことを特徴とする請求項１に記載の照明器具。
【請求項８】
非透光性材料からなる板状部を有する器具本体と、
前記板状部の表側に設けられた主光源ユニットと、
を備えた照明器具において、長手方向を前記板状部の裏面に平行にした状態で、前記板状部の裏側に設けられて使用される補助光源ユニットであって、
複数の線状光源を備え、
前記複数の線状光源は、それぞれの当該板状部の裏面からのオフセット量が互いに異なる位置に配置され、
前記複数の線状光源には、発光効率の異なる複数種類の発光素子が含まれ、
前記複数の線状光源のうち少なくとも２つの線状光源において、前記板状部の裏面からのオフセット量が大きい線状光源ほど、発光効率が最も高い種類の発光素子が多く含まれる、
ことを特徴とする補助光源ユニット。
【発明の詳細な説明】
【技術分野】
【０００１】
本発明は、ＬＥＤ（Ｌｉｇｈｔ  Ｅｍｉｔｔｉｎｇ  Ｄｉｏｄｅ）等の発光素子を光源として備える照明器具および補助光源ユニットに関し、主光源ユニットおよび補助光源ユニットを備えた照明器具において明るさ感の低下を抑制する技術に関する。
【背景技術】
【０００２】
近年、ＬＥＤ（Ｌｉｇｈｔ  Ｅｍｉｔｔｉｎｇ  Ｄｉｏｄｅ）などの発光素子を光源とする光源ユニットを利用した照明器具が普及しつつある。一方、建築物用照明器具として、カバーと器具本体とで囲まれた領域内に光源ユニットを収納したシーリングライト等の照明器具が一般に用いられている。
例えば、特許文献１では、発光素子を含む光源ユニットを備えたシーリングライト型照明器具が提案されている。図１２は、特許文献１に記載された照明器具の断面図である。照明器具９００は、器具本体９０３と、主光源ユニット９１０と、電源ユニット９４０と、カバー９５０と、を備える。主光源ユニット９１０は、実装基板およびＬＥＤを含む主発光モジュール９１２と、その表面に設けられた拡散レンズ９１１とを有する。主発光モジュール９１２は、器具本体９０３の表側に配置されている。カバー９５０は、主光源ユニット９１０を覆うような状態で、器具本体９０３に固定されている。カバー９５０を構成する材料は、透光性材料である。
【０００３】
照明器具９００は、カバー９５０を下方向に向け天井に取り付けられる。主発光モジュール９１２からの出射光は、拡散レンズ９１１およびカバー９５０を透過して、照明器具９００の外部へ取り出される。室内において照明器具９００を天井に取り付けた場合、主光源ユニット９１０からの出射光は、照明器具９００の真下から壁の下方まで広がる。
【先行技術文献】
【特許文献】
【０００４】
【特許文献１】特開２０１２−１４６４４１号公報
【発明の概要】
【発明が解決しようとする課題】
【０００５】
ところで、上記従来の照明器具を、例えば、室内において天井に取り付けた場合、天井および壁の上方等、主光源ユニットからの出射光が届かない範囲が存在しうる。室内において、出射光が届かない範囲があると、一般にユーザは室内全体を暗いと感じる傾向がある。これに対し、上記従来の照明器具の構成に加えて、天井および壁の上方を照らす補助光源ユニットを備えるという対策がある。ここで、補助光源ユニットを、天井側、すなわち、板状部の主光源ユニットが設けられる側と反対側である板状部の裏側に配置して、板状部の裏面に平行な方向に光を出射させることが考えられる。
【０００６】
しかしながら、この構成では、補助光源ユニットからの主光源ユニットの出射光の一部が、板状部の裏面に遮られるおそれがある。その結果、壁の上方が暗くなってしまうことがある。
本発明は、上記した課題に鑑み、主光源ユニットおよび補助光源ユニットを備え、補助光源ユニットからの出射光の遮りによる明るさ感の低下を抑制した照明器具を提供することを目的とする。
【課題を解決するための手段】
【０００７】
上記目的を達成するために、本発明の一態様に係る照明器具は、非透光性材料からなる板状部を有する器具本体と、前記板状部の表側に設けられた主光源ユニットと、前記板状部の裏側に設けられ、複数の線状光源を備えた補助光源ユニットと、を備え、前記複数の線状光源は、それぞれの長手方向を前記板状部の裏面に対し平行にして、それぞれの当該板状部の裏面からのオフセット量が互いに異なる位置に配置され、前記複数の線状光源には、発光効率の異なる複数種類の発光素子が含まれ、前記複数の線状光源のうち少なくとも２つの線状光源において、前記板状部の裏面からのオフセット量が大きい線状光源ほど、発光効率が最も高い種類の発光素子が多く含まれる、ことを特徴とする。
【発明の効果】
【０００８】
本発明の一態様に係る照明器具では、補助光源ユニットにおいて、板状部の裏面からのオフセット量が互いに異なる位置に、複数の線状光源が配置されている。ここで、当該照明器具を、例えば、室内において天井に取り付けた場合、板状部の裏面からのオフセット量の大きい線状光源ほど、線状光源に含まれる発光素子から壁の上方への出射光が、板状部の裏面に遮られることを抑制できる。板状部の裏面からのオフセット量の大きい線状光源ほど、含まれる発光素子からの出射光のうち、板状部の裏面に遮られない限界の出射光は、下側に向かうためである。そして、本発明の一態様に係る照明器具では、補助光源ユニットにおいて板状部の裏面からオフセット量が異なる少なくとも２つの線状光源を見ると、板状部の裏面からオフセット量の大きい方の線状光源が、小さい方の線状光源よりも発光効率が最も高い種類の発光素子を多く含んでいる。そのため、発光効率が最も高い種類の発光素子からの出射光が壁の上方に届きやすくなり、壁の上方に輝度の大きい出射光が拡がる。なぜなら、同じ電力を発光素子に供給した場合、発光効率が高い発光素子ほど、出射光の輝度が大きいからである。これにより、壁の上方がさらに明るくなる。その結果、ユーザは室内全体の明るさが向上したと感じる。
【０００９】
このように、主光源ユニットおよび補助光源ユニットを備えた照明器具において、補助光源ユニットからの出射光の遮りによる明るさ感の低下を抑制できる。
【図面の簡単な説明】
【００１０】
【図１】実施の形態に係る照明器具を表側から見た分解斜視図である。
【図２】図１に示した照明器具を裏側から見た分解斜視図である。
【図３】図１に示した照明器具の断面図である。
【図４】図３に示した照明器具の断面図の一部拡大図である。
【図５】図１に示した照明器具における補助光源ユニットの分解斜視図である。
【図６】図１に示した照明器具における補助光源ユニットの発光モジュールの回路図である。
【図７】図１に示した照明器具における補助光源ユニットの発光モジュールの模式図である。
【図８】図１に示した照明器具の効果を示す断面図である。
【図９】図１に示した照明器具の効果を示す図であって、（ａ）は比較例に係る図であり、（ｂ）は図１に示した照明器具に係る図である。
【図１０】変形例に係る照明器具における補助光源ユニットの発光モジュールの模式図であって、（ａ）は線状光源の変形例を示し、（ｂ）はＬＥＤの発光効率が２種類である変形例を示す図である。
【図１１】変形例に係る照明器具における補助光源ユニットの発光モジュールの模式図であって、（ａ）は発光効率が最も高いＬＥＤが全部の線状光源に配置される変形例を示し、（ｂ）は実装基板が３個の配置領域を有する変形例を示す図である。
【図１２】従来の照明器具の断面図である。
【発明を実施するための形態】
【００１１】
＜＜実施の形態＞＞
本発明の一態様に係る照明器具について、図面を参照しながら説明する。以下、発光素子としてＬＥＤ（Ｌｉｇｈｔ  Ｅｍｉｔｔｉｎｇ  Ｄｉｏｄｅ）を利用する形態について説明する。
図１は、実施の形態に係る照明器具を表側から見た分解斜視図である。図２は、同照明器具を裏側から見た分解斜視図である。
１．全体構成
図１に示すように、照明器具１は、器具本体３と、主光源ユニット１０と、センター光源ユニット２０と、補助光源ユニット３０と、電源ユニット４０と、カバー５０と、カバー６０と、を備える。照明器具１は、天井に取り付けられて用いられるシーリングライトである。
２．各部構成
（器具本体）
器具本体３は、板状部５と、板状部５の裏側に設けられた冠状部７とを有する。板状部５は、中央に貫通孔５ａが設けられた円板状であり、円環状の平板部５ｂと、平板部５ｂの内側に延出され一段もり上がった円環状の中央部５ｃと、平板部５ｂの外側に延出され一段下がった円環状の外周部５ｄと、を有する。冠状部７は、扁平な角筒状（筒側面を７ａで示す）であり、角筒下端が外方に延出されて、延出端の輪郭を円形状に仕上げられている。以下、この延出端の内部を平坦部７ｂといい、延出端の輪郭部をフランジ部７ｃという。角筒上端は、貫通孔７ｄが設けられた天板７ｅで閉塞されている。板状部５の外周部５ｄには、カバー５０が固定される。カバー５０の板状部５への固定は、受け具５１に挟持されることでなされる。
【００１２】
冠状部７の天板７ｅには、図２に示すように、４つのパッキン６１が等間隔に設けられている。パッキン６１は、カバー６０等と天井とが直接接触することを防止する。パッキン６１を構成する材料は、例えば、透光性を有するシリコーン樹脂である。図1に戻って、冠状部７は、板状部５の外周部５ｄと冠状部７のフランジ部７ｃとに設けられた螺子穴を通じて螺子止めされ、板状部５に固定されている。板状部５と冠状部７とで囲まれた空間には、電源ユニット４０が収納される。板状部５および冠状部７を構成する材料は、例えば、鉄合金や、アルミニウムのような非透光性材料である。板状部５および冠状部７をアルミニウムにより形成する場合、例えば、プレスにより形成すればよい。板状部５および冠状部７を構成する材料は、同じでもよいし、異なっていてもよい。
（主光源ユニット）
図１に示すように、主光源ユニット１０は、主発光モジュール１２と、その表面に設けられた主光源レンズ１１とで構成される。主発光モジュール１２は、サブユニット１３を４つ並べて構成される。各サブユニット１３は、１／４円弧状の実装基板１３ａと、実装基板１３ａの表面に配置された複数のＬＥＤ１３ｂと、を含む。１／４円弧状の実装基板１３ａを４つ並べて構成されるため、主光源ユニット１０の形状は、全体として円環状である。各ＬＥＤ１３ｂの発光色は、例えば、白色である。主光源レンズ１１は、主発光モジュール１２からの出射光を拡散するレンズである。主光源レンズ１１の形状は、ＬＥＤ１３ｂの上方に位置する部分が凸となる円環状である。主光源レンズ１１を構成する材料は、例えば、アクリル樹脂、ポリカーボネート樹脂、ガラス等の透光性材料である。主発光モジュール１２は、主光源レンズ１１および板状部５に挟まれ、主光源レンズ１１の内外周に設けられた螺子穴を通じて螺子止めされ、主光源レンズ１１および板状部５に固定されている。
【００１３】
主光源ユニット１０は、板状部５の平板部５ｂの表側に、図１に示すＺ軸方向でそれぞれ重なるように配置される。これにより、図３に示すように、板状部５の平板部５ｂの表側には、主出射方向を板状部５に垂直な方向として、センター光源ユニット２０が設けられる。
（センター光源ユニット）
センター光源ユニット２０は、センター発光モジュール２２と、その表面に設けられたセンターレンズ２１とで構成される。センター発光モジュール２２は、円環状の実装基板２２ａと、円周状に配置された複数のＬＥＤ２２ｂと、を含む。各ＬＥＤ２２ｂの発光色は、例えば、白色である。センターレンズ２１は、センター発光モジュール２２からの出射光を拡散するレンズである。センターレンズ２１の形状は、主光源レンズ１１の形状と同様に、ＬＥＤ２２ｂの上方に位置する部分が凸となる円環状である。センターレンズ２１を構成する材料は、例えば、アクリル樹脂、ポリカーボネート樹脂、ガラス等の透光性材料である。
【００１４】
センター光源ユニット２０は、板状部５の中央部５ｃの表側に、図１に示すＺ軸方向でそれぞれ重なるように配置される。これにより、図３に示すように、板状部５の中央部５ｃの表側には、主出射方向を板状部５に垂直な方向として、主光源ユニット１０が設けられる。
（補助光源ユニット）
以下、補助光源ユニット３０を構成する部材を、図５の分解斜視図を用いて説明する。図５に示すように、補助光源ユニット３０は、ベース３１と、ベース３１に設けられた発光モジュール３０ａと、発光モジュール３０ａを覆うような透光性カバー３５と、を含む。補助光源ユニット３０を組み立てるためには、まず、ベース３１の実装部３１ａに実装基板３２を接着剤により貼り付ける。そして、実装基板３２を貼り付けたベース３１と、透光性カバー３５とを、螺子止めして固定すればよい。
【００１５】
ベース３１は、実装基板３２を搭載する実装部３１ａと、実装部３１ａから延設された固定部３１ｂとを有する。実装部３１ａは、固定部３１ｂに立設するように設けられている。発光モジュール３０ａは、実装基板３２と、実装基板３２の表面に設けられた２本の線状光源３２ａ１、３２ｂ１と、２つのコネクタ３４と、を含む。実装基板３２の形状は、長方形状である。線状光源３２ａ１、３２ｂ１は、それぞれ１２個のＬＥＤ３３が１本の直線状に配置されている。実装基板３２において線状光源３２ａ１、３２ｂ１が配置されている領域を、配置領域３２ａ、３２ｂとする。透光性カバー３５を構成する材料は、例えば、シリコーン樹脂、アクリル樹脂、ポリカーボネート樹脂、ガラス等の透光性材料である。透光性カバー３５は、光拡散性を有している。そのため、ＬＥＤ３３から出射され透光性カバー３５を透過した出射光は、さらに広範囲に拡がる。透光性カバー３５に光拡散性を加えるには、その内面に、カバー５０の内面と同様に、光源からの出射光を拡散させる拡散処理、例えば、シリカや白色顔料等による拡散処理を施せばよい。
【００１６】
ＬＥＤ３３は、例えば、ＬＥＤチップと樹脂材料で構成された封止部材とで構成される。また、ＬＥＤチップの実装は、例えば、ＳＭＤ（Ｓｕｒｆａｃｅ  Ｍｏｕｎｔ  Ｄｅｖｉｃｅ）で行われる。図５では示していないが、線状光源３２ａ１、３２ｂ１に含まれる２４個のＬＥＤ３３には、白色ＬＥＤ３３ａ、電球色ＬＥＤ３３ｂ、橙色ＬＥＤ３３ｄ、青色ＬＥＤ３３ｃがそれぞれ６個ずつ含まれる。そのため、補助光源ユニット３０の出射光の発光色は、例えば、白色、電球色、橙色、青色、およびそれらの混合色となる。コネクタ３４は、電源ユニット４０から引き出された配線（不図示）から電力の供給を受け、実装基板３２に形成された配線パターンへ供給する。
【００１７】
ＬＥＤ３３は、発光色が等しいＬＥＤ３３ごとに直列に接続される。直列接続されたＬＥＤ３３からは端子が引き出され、当該端子はコネクタ３４の対応する端子に個別に接続されている。具体的には、白色ＬＥＤ３３ａ、電球色ＬＥＤ３３ｂ、橙色ＬＥＤ３３ｄ、青色ＬＥＤ３３ｃは、それぞれ電気的に直列に接続される。そして、電気的に直列に接続された４つのＬＥＤ３３群は、互いに電気的に並列に接続される。これにより、発光色が異なるＬＥＤ３３を個別点灯することができる。その結果、補助光源ユニット３０の出射光を調色することができる。例えば、室内を明るくするためには、白色ＬＥＤ３３ａに大きな電流を供給すればよい。これを回路図で示すと、図６である。
【００１８】
次に、補助光源ユニット３０の配置について、図２と、図３の断面図における二点鎖線で囲まれた領域αの拡大図とを用いて説明する。補助光源ユニット３０が設けられた冠状部７は、板状部５の裏側に図２に示すＺ軸方向で重なるように配置される。これにより、図４に示すように、板状部５の裏側に、主出射方向を板状部５に平行な方向として、補助光源ユニット３０が配置される。より具体的には、補助光源ユニット３０は、ベース３１の固定部３１ｂに設けられた螺子穴を通じて冠状部７の平坦部７ｂに螺子止めされ、冠状部７へ固定される。これにより、実装基板３２は、板状部５に立設した状態で、冠状部７へ固定される。
【００１９】
さらに、線状光源３２ａ１、３２ｂ１の配置について説明する。線状光源３２ａ１、３２ｂ１は、板状部５に立設した状態で固定された実装基板３２の表面であって、板状部５の裏面からのオフセット量が互いに異なる位置に配置されている。線状光源３２ａ１、３２ｂ１の板状部５の裏面からのオフセット量は、それぞれｈ１、ｈ２である。線状光源３２ａ１からのオフセット量ｈ１は、線状光源３２ｂ１からのオフセット量ｈ２よりも大きい。線状光源３２ａ１、３２ｂ１それぞれの長手方向は、板状部５の裏面に対し平行である。このような配置関係により、線状光源３２ａ１、３２ｂ１の主出射方向は、板状部５の裏面に対し平行な方向となる。
（電源ユニット）
図１に戻って、電源ユニット４０は、絶縁板４１の表面に設けられた制御ブロック４２および電源ブロック４３等と、を備える。制御ブロック４２のケース内には、制御基板が収納される。制御基板と電源ブロック４３とは、テープ電線４２ａにより接続されている。制御ブロック４２は、例えば、ユーザが操作できるリモートコントローラーから出力される点灯信号および非点灯信号を受信し、電源ブロック４３に制御信号を出力する。電源ブロック４３は、基板と基板上に実装された各種の電子部品とから構成される。電源ブロック４３に含まれる回路は、供給された交流電流を所望の直流電流に変換する。なお、電源ブロック４３から引き出された電源線４２ｂは、冠状部７の貫通孔７ｄおよびカバー６０の貫通孔６０ａを介し、給電用コンセントに接続される。
（カバー）
カバー５０は、板状部５を覆うような有底円筒状に形成されている。カバー５０を構成する材料は、例えば、シリコーン樹脂、アクリル樹脂、ポリカーボネート樹脂、ガラス等の透光性材料である。カバー５０の内面には、センター光源ユニット２０および主光源ユニット１０からの出射光を拡散させる拡散処理、例えば、シリカや白色顔料等による拡散処理が施されている。
【００２０】
カバー６０は、中央に貫通孔６０ａが設けられ、且つ、補助光源ユニット３０を覆うような円板状に形成されている。カバー６０を構成する材料は、例えば、アクリル樹脂、ポリカーボネート樹脂、ガラス等の透光性材料である。
（まとめ）
この構成により、センター光源ユニット２０および主光源ユニット１０からの出射光は、カバー５０を透過して、照明器具１の外部へ取り出される。また、円環状の主光源ユニット１０の内側にセンター光源ユニット２０を設けることで、照明器具１の輝度むらを抑制している。さらに、補助光源ユニット３０を板状部の裏側に設けることで、主光源ユニット１０からの出射光が届かない天井や壁の上方を照らすことができる。
【００２１】
以下、本発明の主要な構成である補助光源ユニット３０の発光モジュール３０ａについて、より詳細に説明する。
２．発光モジュール３０ａの詳細な構成
（ＬＥＤの配置）
図７は、図１に示した照明器具における補助光源ユニットの発光モジュールの模式図である。
【００２２】
図７に示すように、線状光源３２ａ１は、白色ＬＥＤ３３ａと、青色ＬＥＤ３３ｃとを、６個ずつ含む。線状光源３２ｂ１は、電球色ＬＥＤ３３ｂと、橙色ＬＥＤ３３ｄとを、６個ずつ含む。このように、発光モジュール３０ａに含まれるＬＥＤ３３の発光色は４種類である。白色ＬＥＤ３３ａ、電球色ＬＥＤ３３ｂ、青色ＬＥＤ３３ｃ、橙色ＬＥＤ３３ｄの発光効率は、例えば、１１８ｌｍ／Ｗ、９７ｌｍ／Ｗ、２６ｌｍ／Ｗ、８０ｌｍ／Ｗである。ＬＥＤ３３のうち、発光効率が最も高い種類のものは、白色ＬＥＤ３３ａである。線状光源３２ａ１、３２ｂ１のうち、板状部５の裏面からのオフセット量が大きい方の線状光源３２ａ１は、発光効率が最も高い白色ＬＥＤ３３ａの全部を含む。
【００２３】
また、各線状光源３２ａ１、３２ｂ１に含まれる隣り合うＬＥＤ３３の発光色は異なっている。これにより、隣り合うＬＥＤ３３を同時に点灯する場合、隣り合うＬＥＤ３３から出射される発光色の異なる出射光が混ざりやすい。そのため、補助光源ユニット３０からの出射光の色むらを抑制できる。
（ＬＥＤからの出射光）
ところで、線状光源３２ａ１、３２ｂ１に含まれるＬＥＤ３３からの出射光は、板状部５の裏面からのオフセット量の違いにより、その照射範囲に違いが生じる。これについて、照明器具の効果を示す断面図を用いて説明する。図８におけるＬａ、Ｌｂは、白色ＬＥＤ３３ａおよび電球色ＬＥＤ３３ｂからの出射光のうち、板状部５の裏面に遮られない限界の出射光をそれぞれ示す。白色ＬＥＤ３３ａは、板状部５の裏面からのオフセット量が大きい方の線状光源３２ａ１に含まれ、電球色ＬＥＤ３３ｂは、オフセット量が小さい方の線状光源３２ｂ１に含まれる。図８に示すように、白色ＬＥＤ３３ａからの出射光Ｌａは、電球色ＬＥＤ３３ｂからの出射光Ｌｂよりも下側に向かう。そのため、白色ＬＥＤ３３ａからの出射光Ｌａは、電球色ＬＥＤ３３ｂからの出射光Ｌｂよりも、壁７０の上方の下側にまで届く。このように、板状部５の裏面からのオフセット量が大きい線状光源３２ａ１ほど、含まれるＬＥＤ３３から壁７０の上方への出射光が、板状部５の裏面に遮られることを抑制できる。なお、照明器具１と壁７０との距離が大きいほど、その効果は顕著である。以下、この構成による効果についてより詳細に説明する。
３．効果
図９は、図１に示した照明器具の効果を示す図である。なお、図９は、室内において照明器具を天井に取り付けた場合を示している。図９（ａ）は、比較例に係る図である。図９（ｂ）は、図１に示した照明器具に係る図である。比較例における照明器具１０００は、補助光源ユニット１０４０において、白色ＬＥＤ３３ａが板状部５の裏面からのオフセット量の小さい線状光源３２ｂ１のみに含まれる。本発明の照明器具１は、白色ＬＥＤ３３ａが板状部５の裏面からのオフセット量の大きい線状光源３２ａ１のみに含まれる。この点以外は、照明器具１、１０００は同じ構成とする。
【００２４】
図９（ａ）に示すように、照明器具１０００において、補助光源ユニット１０４０からの出射光は、Ｌ１０００で示した天井７１から壁７０の上端まで届く。また、センター発光モジュール２２および主発光モジュール１２からの出射光は、Ｌ２で示した壁７０の下方から床７２まで届く。一方、図９（ｂ）に示すように、照明器具１において、センター発光モジュール２２および主発光モジュール１２からの出射光は、照明器具１０００の場合と同様に、Ｌ２で示した壁７０の下方から床７２まで届く。しかしながら、補助光源ユニット３０からの出射光は、照明器具１０００の場合よりも広い範囲で、Ｌ１で示した天井７１から壁７０の上方まで届く。
【００２５】
上述したように、板状部５の裏面からのオフセット量が大きい線状光源３２ａ１ほど、含まれるＬＥＤ３３から壁の上方への出射光が、板状部５の裏面に遮られることを抑制できる。具体的には、白色ＬＥＤ３３ａからの出射光の下限は、図８に示すＬａとなる。ここで、同じ電力をＬＥＤ３３に供給した場合、発光効率が高い白色ＬＥＤ３３ａほど、出射光の輝度は大きくなる。そのため、板状部５の裏面からのオフセット量が大きい方の線状光源３２ａ１が白色ＬＥＤ３３ａを含むことで、Ｌ１内の壁の上方の領域Ｌ１ａにおいて、補助光源ユニット３０から届く出射光の明るさが大きくなる。すなわち、照明器具１では、壁７０の上方Ｌ１ａを明るくすることができる。その結果、ユーザは室内全体の明るさが向上したと体感できる。
【００２６】
このように、主光源ユニット１０および補助光源ユニット３０を備えた照明器具１において、補助光源ユニット３０からの出射光の遮りによる明るさ感の低下を抑制できる。
＜＜変形例＞＞
以下、本発明に係る補助光源ユニットの変形例について、図１０および図１１を用いて説明する。変形例については、両者の相違点についてのみ説明し、共通する構成については同じ符号を使って説明を省略する。
【００２７】
図１０および図１１は、変形例に係る照明器具における補助光源ユニットの発光モジュールの模式図である。
１．線状光源の構成
図１０（ａ）に示すように、発光モジュール１３０ａにおいて、各配置領域１３２ａ、１３２ｂに、線状に配置されたＬＥＤ３３群２本からなる線状光源１３２ａ１、１３２ｂ１が配置されていてもよい。ここで、白色ＬＥＤ３３ａの全部は、板状部５の裏面からのオフセット量が大きい方の線状光源１３２ａ１に含まれている。この構成でも、主発光モジュール１２および補助光源ユニット１３０を備えた照明器具において、補助光源ユニット１３０からの出射光の遮りによる明るさ感の低下を抑制できる。
【００２８】
線状光源の他の構成として、例えば、各線状光源が、３本以上の線状に配置されたＬＥＤ群からなってもよい。なお、ＬＥＤ３３の配置は、直線状に限らず、例えば、折れ線状、曲線状などであってもよい。また、上記実施の形態等では、複数の線状光源の長手方向は、板状部の裏面に対し平行となるように、線状光源は実装基板に配置されている。ここでいう「板状部の裏面に対し平行」とは、完全に平行でなくても、製造誤差の程度であれば平行でなくてもよい。
２．ＬＥＤの種類
図１０（ｂ）に示すように、発光モジュール２３０ａにおいて、２４個のＬＥＤ３３が、白色ＬＥＤ３３ａおよび電球色ＬＥＤ３３ｂがそれぞれ１２個ずつからなってもよい。ここで、白色ＬＥＤ３３ａの全部は、板状部５の裏面からのオフセット量が大きい方の線状光源２３２ａ１に含まれている。電球色ＬＥＤ３３ｂの全部は、板状部５の裏面からのオフセット量が小さい方の線状光源２３２ｂ１に含まれている。この構成でも、主発光モジュール１２および補助光源ユニット２３０を備えた照明器具において、補助光源ユニット２３０からの出射光の遮りによる明るさ感の低下を抑制できる。このように、ＬＥＤの発光効率の種類が複数あれば、本発明を適応することができる。
３．発光効率が最も高いＬＥＤの配置
図１１（ａ）に示すように、発光モジュール３３０ａにおいて、６個の白色ＬＥＤ３３ａが、板状部５の裏面からのオフセット量が大きい方の線状光源３３２ａ１に含まれている。また、３個の白色ＬＥＤ３３ａが、板状部５の裏面からのオフセット量が小さい方の線状光源３３２ｂ１に含まれている。このように、線状光源３３２ａ１、３３２ｂ１のうち、板状部５の裏面からのオフセット量が大きい方の線状光源３３２ａ１が、オフセット量が小さい方の線状光源３３２ｂ１よりも、白色ＬＥＤ３３ａを多く含む。そのため、この構成でも、主発光モジュール１２および補助光源ユニット３３０を備えた照明器具において、補助光源ユニット３３０からの出射光の遮りによる明るさ感の低下を抑制できる。
４．２つより多い数の配置領域
図１１（ｂ）に示すように、発光モジュール４３０ａは、板状部５の裏面からのオフセット量が大きい順に、３個の線状光源４３２ａ１、４３２ｂ１、４３２ｃ１を有する。６個の白色ＬＥＤ３３ａが、最もオフセット量が大きい線状光源４３２ａ１に含まれている。また、３個の白色ＬＥＤ３３ａが、中央の線状光源４３２ｂ１に含まれている。さらに、１個の白色ＬＥＤ３３ａが、最もオフセット量が小さい線状光源４３２ｃ１に含まれている。このように、線状光源４３２ａ１、４３２ｂ１、４３２ｃ１のうち、板状部５の裏面からのオフセット量が大きい線状光源ほど、白色ＬＥＤ３３ａがより多く配置される。そのため、この構成でも、主発光モジュール１２および補助光源ユニット４３０を備えた照明器具１において、補助光源ユニット４３０からの出射光の遮りによる明るさ感の低下を抑制した照明装置を提供できる。
【００２９】
なお、板状部５の裏面からのオフセット量が大きい方の線状光源ほど白色ＬＥＤがより多く含まれる構成において、本発明の効果は最も効果が顕著となる。しかし、本発明の照明器具の構成はこれに限られない。例えば、３つの線状光源のうち、少なくとも１組の隣り合う線状光源では、板状部５の裏面からのオフセット量が大きい方の線状光源に、白色ＬＥＤ３３ａがより多く含まれ、残りの組の隣り合う線状光源では、白色ＬＥＤ３３ａが同じ数だけ含まれていても、上記効果を奏することができる。
５．実装基板および配置領域
上記実施の形態等では、実装基板は長方形状であった。しかしながら、これに限らず、楕円形状や他の多角形状など、他の形状であってもよい。また、配置領域についても、長方形状に限らず、楕円形状や他の多角形状など、他の形状であってもよい。実装基板の形状および配置基板の形状は、任意に組み合わせることができる。なお、配置領域の数は、２個、３個に限らず、複数であればよい。
６．その他
以上、本発明に係る照明器具の構成を、実施の形態および変形例に基づいて説明したが、本発明は上記実施の形態およびその変形例に限られない。例えば、上記実施形態およびその変形例の部分的な構成を、適宜組み合わせた構成であってもよい。また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。
（補助光源ユニット）
上記実施の形態等では、補助光源ユニットを４つ設けていた。しかしながら、これに限らず、補助光源ユニットは、４つに限らず、任意の個数を設ければよい。
（発光素子）
上記実施の形態等では、発光効率が最も高い種類のＬＥＤとして白色ＬＥＤを挙げ、白色ＬＥＤの配置について説明した。しかしながら、白色ＬＥＤに限らず、発光効率が最も高いＬＥＤの配置について、本発明を適用できる。また、本発明に係る発光素子は、ＬＥＤに限らない。発光素子は、例えば、ＬＤ（レーザダイオード）や、ＥＬ素子（エレクトリックルミネッセンス素子）であってもよい。
（電気的接続）
上記実施の形態では、発光色ごとにＬＥＤが直列接続されていたが、これに限らない。例えば、各線状光源に含まれる線状に配置された複数のＬＥＤがそれぞれ電気的に直列に接続され、各線状光源が互いに電気的に並列に接続されていれば、各配置領域において個別にＬＥＤを発光させることができる。
（照明器具）
上記実施の形態等では、照明器具としてシーリングライトを用いた。しかしながら、これに限らず、本発明は、例えば、ダウンライト等のシーリングライト以外の建築物用照明器具や、バックライト等の建築物用照明器具以外の照明器具にも利用可能である。
【符号の説明】
【００３０】
１、９００、１０００  照明器具
３                    器具本体
５                    板状部
７                    冠状部
１０                  主光源ユニット
２０                  センター光源ユニット
３０                  補助光源ユニット
３３                  ＬＥＤ
３３ａ                白色ＬＥＤ
３３ｂ                電球色ＬＥＤ
３３ｃ                青色ＬＥＤ
３３ｄ                橙色ＬＥＤ
【図１】
2014110082.tif 000003
【図２】
2014110082.tif 000004
【図３】
2014110082.tif 000005
【図４】
2014110082.tif 000006
【図５】
2014110082.tif 000007
【図６】
2014110082.tif 000008
【図７】
2014110082.tif 000009
【図８】
2014110082.tif 000010
【図９】
2014110082.tif 000011
【図１０】
2014110082.tif 000012
【図１１】
2014110082.tif 000013
【図１２】
2014110082.tif 000014